(57)【要約】  解像度変更装置は、受信した映像を所定の拡大率で拡大し、拡大後の映像のうち所定の画面解像度に収まる範囲の映像をスクリーンに表示する表示装置について、拡大前の映像のうちスクリーンに表示される範囲を示す映像解像度である実効解像度を識別する解像度情報を取得する。例えば、解像度変更装置は、コンピュータ画面を表示させる表示装置を識別する識別情報を取得すると、表示装置を識別する識別情報に対応づけて解像度情報を記憶する記憶部を参照し、取得した識別情報に対応する解像度情報を取得する。そして、解像度変更装置は、スクリーンに表示させるコンピュータ画面全面の解像度を、取得した解像度情報によって識別される実効解像度に変更する。
2010073363.tif 000002
【特許請求の範囲】
【請求項１】
受信した映像を所定の拡大率で拡大し、拡大後の映像のうち所定の画面解像度に収まる範囲の映像をスクリーンに表示する表示装置について、拡大前の前記映像のうちスクリーンに表示される前記範囲を示す映像解像度である実効解像度を識別する解像度情報を取得する取得部と、
前記スクリーンに表示させるコンピュータ画面全面の解像度を、前記取得部によって取得された解像度情報によって識別される実効解像度に変更する変更部と
を備えたことを特徴とする解像度変更装置。
【請求項２】
前記取得部は、前記コンピュータ画面を表示させる表示装置を識別する識別情報を取得すると、前記表示装置を識別する識別情報に対応づけて前記解像度情報を記憶する記憶部を参照し、取得した識別情報に対応する解像度情報を取得することを特徴とする請求項１に記載の解像度変更装置。
【請求項３】
前記表示装置は、自装置についての解像度情報を記憶する記憶部を備え、
前記取得部は、前記記憶部に記憶された解像度情報を前記表示装置から取得することを特徴とする請求項２に記載の解像度変更装置。
【請求項４】
前記解像度情報は、前記実効解像度、および／または、前記所定の拡大率と前記スクリーンの画面解像度との組み合わせであることを特徴とする請求項３に記載の解像度変更装置。
【請求項５】
前記表示装置は、テレビジョンであることを特徴とする請求項１に記載の解像度変更装置。
【請求項６】
コンピュータが、
受信した映像を所定の拡大率で拡大し、拡大後の映像のうち所定の画面解像度に収まる範囲の映像をスクリーンに表示する表示装置について、拡大前の前記映像のうちスクリーンに表示される前記範囲を示す映像解像度である実効解像度を識別する解像度情報を取得する取得工程と、
前記スクリーンに表示させるコンピュータ画面全面の解像度を、前記取得工程によって取得された解像度情報によって識別される実効解像度に変更する変更工程と
を実行することを特徴とする解像度変更方法。
【請求項７】
受信した映像を所定の拡大率で拡大し、拡大後の映像のうち所定の画面解像度に収まる範囲の映像をスクリーンに表示する表示装置について、拡大前の前記映像のうちスクリーンに表示される前記範囲を示す映像解像度である実効解像度を識別する解像度情報を取得する取得ステップと、
前記スクリーンに表示させるコンピュータ画面全面の解像度を、前記取得ステップによって取得された解像度情報によって識別される実効解像度に変更する変更ステップと
をコンピュータに実行させることを特徴とする解像度変更プログラム。
【発明の詳細な説明】
【技術分野】
【０００１】
本発明は、解像度変更装置、解像度変更方法および解像度変更プログラムに関する。
【背景技術】
【０００２】
テレビジョン（以下、テレビと記載する）は、放送局から映像を受信すると、受信した映像の映像解像度（水平画素数×垂直画素数）を所定の拡大率で拡大し、拡大後の映像のうち、画面解像度に収まる範囲の映像をスクリーンに表示する。これは、映像の端に含まれる歪みやノイズを表示しないようにするためである。【０００３】
例えば、テレビは、図１１に示すように、受信映像（（１）を参照）を拡大（オーバースキャンとも称する）し、オーバースキャン後の受信映像（（２）を参照）のうち、スクリーンの画面解像度（太枠）に収まる中央部分（横縞部分）のみを表示する。この時、テレビは、画面解像度に収まらない部分（上下左右部分）を表示しないので、映像の端に含まれる歪みやノイズは表示されない。言い換えると、オーバースキャンされる前の受信映像のうち、所定の解像度（以下、実効表示画角）に収まる範囲の映像のみが、スクリーンに表示されることになる（（１）を参照）。なお、図１１は、従来技術を説明するための図である。【０００４】
ところで、近年、テレビは、放送局から受信した映像を表示するのみでなく、コンピュータから受信した映像（以下、コンピュータ画面）をスクリーンに表示するものとして利用されている。この場合にも、テレビは、コンピュータ画面を拡大し、拡大後の画面のうち、画面解像度に収まる中央部分のみを表示するが、コンピュータ画面の端には、利用者がコンピュータを操作する際に必要なアイコン等、重要な情報があることがある。【０００５】
このため、従来、利用者は、テレビに表示されているコンピュータ画面を確認しながら、テレビのスクリーン全面にてコンピュータ画面全面を表示（以下、フル画面表示）するように、コンピュータ画面の解像度を手動で調整していた。また、テレビごとに異なる拡大率（以下、オーバースキャン率）の内、最大のオーバースキャン率を想定した縮小率で、コンピュータ画面の解像度を予め縮小する技術も開示されている。【０００６】
【特許文献１】特開平７−１２９１３８号公報
【特許文献２】特開２００６−１０７００９号公報
【発明の開示】
【発明が解決しようとする課題】
【０００７】
ところで、上記した従来の技術では、コンピュータ画面をテレビが表示する際に、必ずしもフル画面表示にならない場合があるという課題があった。すなわち、最大のオーバースキャン率を想定した縮小率で予め縮小する従来の技術では、オーバースキャン率はテレビごとに異なるものであるのに一律の縮小率で縮小する結果、コンピュータ画面がフル画面表示にならない場合がある。【０００８】
そこで、本発明は、上記した従来の技術の課題を解決するためになされたものであり、常にフル画面表示することが可能な解像度変更装置、解像度変更方法および解像度変更プログラムを提供することを目的とする。
【課題を解決するための手段】
【０００９】
上述した課題を解決し、目的を達成するため、解像度変更装置は、受信した映像を所定の拡大率で拡大し、拡大後の映像のうち所定の画面解像度に収まる範囲の映像をスクリーンに表示する表示装置について、拡大前の前記映像のうちスクリーンに表示される前記範囲を示す映像解像度である実効解像度を識別する解像度情報を取得する取得部を備える。また、解像度変更装置は、前記スクリーンに表示させるコンピュータ画面全面の解像度を、前記取得部によって取得された解像度情報によって識別される実効解像度に変更する変更部を備える。
【発明の効果】
【００１０】
常にフル画面表示することが可能である。
【図面の簡単な説明】
【００１１】
【図１】図１は、実施例１に係る解像度変更装置の概要を説明するための図である。
【図２】図２は、実施例１に係る解像度変更装置の構成を説明するためのブロック図である。
【図３】図３は、実施例１におけるテレビを説明するための図である。
【図４】図４は、実施例１における表示エリア情報記憶部を説明するための図である。
【図５】図５は、実施例１に係る解像度変更装置の処理の流れを説明するためのフローチャートである。
【図６】図６は、実施例１に係る解像度変更装置の効果を説明するための図である。
【図７】図７は、実施例２に係る解像度変更装置の構成を説明するためのブロック図である。
【図８】図８は、実施例２におけるテレビ記憶部を説明するための図である。
【図９】図９は、実施例３に係る解像度変更装置の処理の流れを説明するためのフローチャートである。
【図１０】図１０は、実施例１に係る解像度変更装置のプログラムを説明するための図である。
【図１１】図１１は、従来技術を説明するための図である。
【符号の説明】
【００１２】
１００  テレビ
１０１  テレビ記憶部
２００  サーバ
２１０  表示エリア情報記憶部
３００  解像度変更装置
３０１  取得部
３０２  変更部
【発明を実施するための最良の形態】
【００１３】
以下に添付図面を参照して、本発明に係る解像度変更装置、解像度変更方法および解像度変更プログラムの実施例を詳細に説明する。なお、以下では、本実施例に係る解像度変更装置の概要、解像度変更装置の構成および処理の流れを順に説明し、その後、その他の実施例について説明する。
【実施例１】
【００１４】
［解像度変更装置の概要］
まず、図１を用いて、実施例１に係る解像度変更装置の概要を説明する。図１は、実施例１に係る解像度変更装置の概要を説明するための図である。【００１５】
実施例１に係る解像度変更装置は、テレビに映像を送り、テレビが、コンピュータから受信した映像（以下、「コンピュータ画面」と記載する）をスクリーンにて表示する。また、テレビは、受信したコンピュータ画面を所定の拡大率で拡大（オーバースキャンとも称する）し、拡大後のコンピュータ画面のうち所定の画面解像度に収まる範囲をスクリーンに表示する。なお、以下では、特に言及しない限り、テレビの画面解像度が「1280×720」であるとして説明する。【００１６】
ここで、実施例１に係る解像度変更装置は、拡大前のコンピュータ画面のうちスクリーンに表示される範囲を示す解像度である実効表示画角（「実効解像度」とも称する）を識別する表示エリア情報（「解像度情報」とも称する）を取得する。【００１７】
例えば、図１に示す例では、実施例１に係る解像度変更装置は、テレビの型番に対応づけて実効表示画角を記憶するサーバと接続され、図１の（１）に示すように、テレビの型番「Ｂ」をテレビから取得する。そして、図１の（２）に示すように、解像度変更装置は、取得した型番に対応する実効表示画角「1152×648」をサーバから取得する。【００１８】
そして、図１の（３）に示すように、実施例１に係る解像度変更装置は、スクリーンに表示させるコンピュータ画面全面の解像度を、取得した表示エリア情報によって識別される実効表示画角に変更する。例えば、解像度変更装置は、コンピュータ画面全面の解像度を「1152×648」に変更する。【００１９】
そして、図１の（４）に示すように、実施例１に係る解像度変更装置は、コンピュータ画面をテレビに送り、テレビが、オーバースキャンした後にスクリーンにて表示する。【００２０】
このようなことから、実施例１に係る解像度変更装置は、コンピュータ画面全面をテレビのスクリーン全面にて表示（以下、フル画面表示）可能である。例えば、図１に示す例では、解像度変更装置は、予めコンピュータ画面全面の解像度を「1152×648」に変更した後にテレビに送るので、テレビが、コンピュータ画面の解像度を「1152×648」から「1280×720」に拡大することで、テレビの画面解像度「1280×720」全面を用いてコンピュータ画面全面を表示可能である。【００２１】
［解像度変更装置の構成］
次に、図２を用いて、図１に示した解像度変更装置３００の構成を説明する。図２は、実施例１に係る解像度変更装置の構成を説明するためのブロック図である。解像度変更装置３００は、各種の変更処理手順などを規定したプログラムを格納するための内部メモリを備え、種々の変更処理を実行し、図２に示すように、テレビ１００とサーバ２００と接続され、取得部３０１と変更部３０２と出力部３０３とを備える。【００２２】
また、解像度変更装置３００は、例えば、パーソナルコンピュータやワークステーション、家庭用ゲーム機が該当する。また、解像度変更装置３００は、後述するように、コンピュータ画面をテレビ１００に送る。ここで、コンピュータ画面とは、利用者がコンピュータを操作する際に必要なアイコンなどの重要な情報が画面の端にあるコンピュータの表示画面や、コンピュータによって出力された映像コンテンツなどが該当する。【００２３】
なお、図１には解像度変更装置３００がスクリーンを備えない場合のブロック図を示したが、解像度変更装置３００がスクリーンを備えてもよい。【００２４】
以下では、まず、テレビ１００とサーバ２００との構成について説明し、その後、解像度変更装置３００が備える取得部３０１と変更部３０２と出力部３０３とについて説明する。【００２５】
テレビ１００は、取得部３０１と出力部３０３と接続され、テレビ記憶部１０１と、映像を表示するスクリーンとを備える。テレビ１００は、解像度変更装置３００の出力部３０３からコンピュータ画面を受信し、受信したコンピュータ画面をスクリーンにて表示する。なお、テレビ１００は、例えば、放送局から放送された映像を受信するチューナや、解像度変更装置３００やＤＶＤ（Digital  Versatile  Disc）再生機などの外部接続機器からの映像を受信する接続部と、スクリーンとを備える。以下では、スクリーンにて表示できる最大の画面解像度を表示画角と称する。なお、テレビ１００は、放送局から放送された映像を受信するチューナを備えなくてもよい。また、テレビは表示装置の一例として示したものである。表示装置はテレビに限定されるものではなく、入力映像信号を所定の拡大率で拡大する機能を備えていればその種類を問うものではない。【００２６】
ここで、テレビ１００がコンピュータ画面を表示する点について図３を用いてさらに説明する。図３は、実施例１におけるテレビを説明するための図である。図３の（１）に示すように、テレビ１００は、コンピュータ画面を受信すると、図３の（２）に示すように、コンピュータ画面の解像度（水平画素数×垂直画素数）を所定の拡大率で拡大する。そして、テレビ１００は、拡大後のコンピュータ画面のうち、表示画角に収まる範囲のコンピュータ画面をスクリーンに表示し、図３に示す例では、表示画角「1280×720p」に収まる範囲のコンピュータ画面のみを表示する。なお、テレビ１００が受信した映像を所定の倍率にて拡大する処理を「オーバースキャン（所定の拡大率が「１」以上である場合）」または「アンダースキャン（所定の拡大率が「１」以下である場合）」とも称する。【００２７】
また、表示画角について簡単に説明する。表示画角とは、テレビ１００が備えるスクリーンにて表示できる最大の画面解像度を示す。例えば、表示画角とは、「1920×1080p（水平画素数1920×垂直画素数1080順次走査）」や、「1920×1080i（水平画素数1920×垂直画素数1080飛び越し走査）」、「1280×720p（水平画素数1280×垂直画素数720順次走査）」などが該当する。なお、表示画角は、テレビ１００が備えるスクリーンの画面解像度と必ずしも一致するものではなく、例えば、スクリーンの画面解像度が「1366×768」であっても、表示画角が「1920×1080p」である場合もある。【００２８】
テレビ記憶部１０１は、自テレビに関する情報を記憶し、例えば、自テレビを識別する識別情報を記憶する。例えば、テレビ記憶部１０１は、自テレビの「型名」を記憶する。なお、テレビ記憶部１０１が記憶する自テレビに関する情報は、ＥＤＩＤ（Extended  Display  Identification  Data）とも称する。また、例えば、テレビ１００が記憶する「型名」は、接続ケーブルなどを介して解像度変更装置３００と接続された際に、ＤＤＣ（Display  Data  Channel）などと呼ばれるシリアル通信を用いて、取得部３０１によって読み出される。【００２９】
なお、テレビ記憶部１０１に記憶された情報は、予めテレビ１００を製造した製造者によって入力されるものである。【００３０】
サーバ２００は、インターネットやイントラネットを介して解像度変更装置３００と接続され、表示エリア情報記憶部２１０を備える。図４に示すように、表示エリア情報記憶部２１０は、テレビを識別する識別情報に対応づけて表示エリア情報を記憶する。図４に示す例では、表示エリア情報記憶部２１０は、識別情報としてテレビの型名を記憶し、表示エリア情報として、実効表示画角や、所定の拡大率と表示画角との組み合わせを記憶する。なお、所定の拡大率とは、オーバースキャン率やアンダースキャン率とも称する。図４は、実施例１における表示エリア情報記憶部を説明するための図である。【００３１】
図４に示す例では、表示エリア情報記憶部２１０は、型名「Ａ」に対応づけて、表示画角「1280×720p」と所定の拡大率「1.1」を記憶する。また、表示エリア情報記憶部２１０は、型名「Ｂ」に対応づけて、表示画角「1280×720p」と実効表示画角「1152×648」との組み合わせと、表示画角「1920×1080i」と実効表示画角「1824×1026」との組み合わせを記憶する。【００３２】
なお、型名「Ｂ」に対応づけて二つの表示画角「1280×720p」と「1920×1080i」とが記憶されているのは、テレビ「Ｂ」が二つの表示画角を使い分けることができることを示し、例えば、利用者によって設定された表示画角を用いて映像をスクリーンに表示する。【００３３】
また、表示エリア情報記憶部２１０は、実効表示画角と、所定の拡大率と表示画角との組み合わせとの内、いずれか一方のみを記憶してもよく、両方を記憶しても良い。【００３４】
また、表示エリア情報記憶部２１０が記憶する情報は、例えば、予め管理者によって入力され、解像度変更装置３００の取得部３０１によって読み出される。【００３５】
解像度変更装置３００が備える各部の構成について説明する。取得部３０１は、テレビ１００と表示エリア情報記憶部２１０と変更部３０２と接続される。また、取得部３０１は、解像度変更装置３００がコンピュータ画面を送る対象となるテレビ１００についての表示エリア情報を取得する。例えば、取得部３０１は、コンピュータ画面を表示させるテレビ１００を識別する型名を取得すると、表示エリア情報記憶部２１０を参照し、取得した型名に対応する表示エリア情報を取得する。【００３６】
ここで、テレビから取得した型名を用いて表示エリア情報を取得する手法の一例について説明する。例えば、取得部３０１は、接続ケーブルを介してテレビ１００と接続された場合や、解像度変更装置３００が起動した場合や、接続ケーブルを介して接続されたテレビ１００に電源が供給されると、テレビ１００からＤＤＣを用いてＥＤＩＤを読み出す。そして、取得部３０１は、読み出したＥＤＩＤに含まれる型名を取得し、例えば、型名「Ａ」や「Ｄ」を取得する。そして、例えば、取得部３０１は、型名を取得すると、取得した型名に対応づけられた表示エリア情報を表示エリア情報記憶部２１０から取得する。例えば、取得部３０１は、型名「Ａ」を取得した場合には、表示画角「1280×720p」と所定の拡大率「1.1」とを取得し、型名「Ｄ」を取得した場合には、表示画角「1280×720p」と実効表示画角「1200×650」とを取得する。【００３７】
また、取得部３０１は、取得した表示エリア情報から実効表示画角を識別し、実効表示画角を変更部３０２に送る。例えば、取得部３０１は、表示エリア情報として実効表示画角「1200×650」を取得した場合には、実効表示画角が「1200×650」であると識別し、実効表示画角「1200×650」を変更部３０２に送る。【００３８】
また、例えば、取得部３０１は、取得した表示エリア情報に実効表示画角が含まれていない場合には、取得した表示エリア情報を用いて実効表示画角を識別する。ここで、表示画角「1280×720p」と所定の拡大率「1.1」とを取得した場合を例に、実効表示画角を識別する手法についてさらに説明する。所定の拡大率「1.1」で拡大された映像の映像解像度が「1280×720p」になればよいので、取得部３０１は、表示画角「1280×720p」を所定の拡大率「1.1」で除算し、「1163×654」を算出する。そして、取得部３０１は、算出した「1163×654」が実効表示画角であると識別し、実効表示画角「1163×654」を変更部３０２に送る。【００３９】
表示画角を複数使い分けるテレビ１００について表示エリア情報を取得する場合について説明する。例えば、取得部３０１は、解像度変更装置３００を利用する利用者によっていずれの表示画角かが指定されると、指定された表示画角についての表示エリア情報を取得する。【００４０】
変更部３０２は、取得部３０１と出力部３０３と接続される。また、変更部３０２は、スクリーンに表示させるコンピュータ画面全面の解像度を、取得部３０１によって取得された表示エリア情報によって識別される実効解像度に変更する。【００４１】
例えば、変更部３０２は、実効表示画角を記憶するレジスタを備え、取得部３０１から実効表示画角「1163×654」を受け付けると、受け付けた実効表示画角「1163×654」をレジスタに入力する。そして、変更部３０２は、レジスタに記憶された実効表示画角へと、テレビ１００に送るコンピュータ画面の解像度を変更し、例えば、コンピュータ画面全面の画面解像度を「1163×654」に変更する。そして、変更部３０２は、解像度を変更したコンピュータ画面を出力部３０３に送る。【００４２】
出力部３０３は、変更部３０２とテレビ１００と接続され、変更部３０２によって解像度が変更された映像をテレビ１００に出力する。例えば、出力部３０３は、画面解像度「1163×654」へと変更されたコンピュータ画面全面を変更部３０２から受け付け、テレビ１００に出力する。【００４３】
なお、出力部３０３からテレビ１００に出力された映像は、テレビ１００のスクリーンにて表示される。例えば、テレビ１００は、画面解像度「1163×654」のコンピュータ画面全面を「1280×720p」に拡大した後、表示画角「1280×720p」のスクリーンにて表示する。【００４４】
［解像度変更装置による処理］
次に、図５を用いて、実施例１に係る解像度変更装置の処理の流れを説明する。図５は、実施例１に係る解像度変更装置の処理の流れを説明するためのフローチャートである。【００４５】
図５に示すように、取得部３０１は、テレビ１００と接続されると（ステップＳ１０１肯定）、テレビ１００の型名を取得し（ステップＳ１０２）、取得した型名に対応づけられた表示エリア情報を取得する（ステップＳ１０３）。つまり、取得部３０１は、解像度変更装置３００がコンピュータ画面を送る対象となるテレビ１００についての表示エリア情報を取得する。【００４６】
そして、取得部３０１は、実効表示画角を識別する（ステップＳ１０４）。例えば、取得部３０１は、表示エリア情報として実効表示画角「1200×650」を取得した場合には、実効表示画角が「1200×650」であると識別し、実効表示画角「1200×650」を送る。また、表示画角「1280×720p」と所定の拡大率「1.1」とを取得した場合には、取得部３０１は、取得した表示画角「1280×720p」と所定の拡大率「1.1」とから、実効表示画角「1163×654」を識別し、実効表示画角「1163×654」を変更部３０２に送る。【００４７】
そして、変更部３０２は、スクリーンに表示させるコンピュータ画面全面の解像度を、取得部３０１によって取得された表示エリア情報によって識別される実効表示画角に変更する（ステップＳ１０５）。例えば、変更部３０２は、取得部３０１から実効表示画角「1163×654」を受け付けると、受け付けた実効表示画角「1163×654」へと、テレビ１００に送るコンピュータ画面全面の画面解像度を「1163×654」に変更する。【００４８】
なお、その後、出力部３０３は、変更部３０２によって解像度が変更されたコンピュータ画面をテレビ１００に出力し、テレビ１００が、受信したコンピュータ画面を所定の拡大率にて拡大した後にスクリーンにて表示する。【００４９】
［実施例１の効果］
上記したように、実施例１によれば、解像度変更装置３００は、テレビ１００について表示エリア情報を取得し、スクリーンに表示させるコンピュータ画面全面の解像度を、取得した表示エリア情報によって識別される実効解像度に変更する。この結果、解像度変更装置３００は、常にフル画面表示することが可能である。【００５０】
例えば、図６に示すように、従来の手法では、コンピュータ画面の解像度を予め縮小しすぎることによって、テレビ１００にて拡大された拡大後のコンピュータ画面の解像度が表示画角よりも小さくなる場合があった（図６の（１）参照）。また、従来の手法では、テレビ１００にて拡大された拡大後のコンピュータ画面の解像度が表示画角よりも大きくなり、コンピュータ画面の一部が表示されない場合があった（図６の（２）参照）。なお、図６は、実施例１に係る解像度変更装置の効果を説明するための図である。【００５１】
このような従来の手法に対して、実施例１によれば、解像度変更装置３００は、テレビ１００の実効解像度へとコンピュータ画面の解像度を変更するので、テレビ１００にて拡大された後のコンピュータ画面の解像度と表示画角とを合わせることができる（図６の（３）参照）。この結果、解像度変更装置３００は、テレビ１００のスクリーン全面から表示可能な解像度へと、コンピュータ画面の解像度を変更可能である。
【実施例２】
【００５２】
さて、これまで、実施例１として、解像度変更装置３００が、サーバ２００から表示エリア情報を取得する手法について説明したが、本発明はこれに限定されるものではなく、テレビ１００から表示エリア情報を取得してもよい。【００５３】
そこで、以下では、実施例２として、テレビ１００から表示エリア情報を取得する手法について説明する。なお、以下では、実施例１に係る解像度変更装置と同様の点については説明を省略する。【００５４】
図７に示すように、実施例２に係る解像度変更装置３００は、サーバ２００と接続されず、テレビ１００とのみ接続される。なお、図７は、実施例２に係る解像度変更装置の構成を説明するためのブロック図である。【００５５】
ここで、図８に示すように、テレビ記憶部１０１ｂは、自テレビについての情報として、自テレビについての表示エリア情報を記憶し、図８に示す例では、表示画角と実効表示画角とを記憶する。例えば、テレビ記憶部１０１ｂは、表示画角「1280×720p」と実効表示画角「1152×648」との対応付けを記憶し、また、表示画角「1920×1080i」と実効表示画角「1824×1026」との対応付けを記憶する。なお、例えば、テレビ記憶部１０１ｂに記憶された情報は、予めテレビ１００を製造した製造者によって入力されるものである。なお、図８は、実施例２におけるテレビ記憶部を説明するための図である。【００５６】
そして、実施例２に係る解像度変更装置３００では、取得部３０１が、テレビ１００から表示エリア情報を取得し、例えば、ＤＤＣを用いてＥＤＩＤを読み出す。そして、取得部３０１は、読み出したＥＤＩＤに含まれる表示エリア情報を取得し、実効表示画角を取得する。【００５７】
［実施例２の効果］
上記したように、実施例２によれば、解像度変更装置３００は、サーバ２００を別途設置しなくても、表示エリア情報を取得することができ、常にフル画面表示することが可能である。
【実施例３】
【００５８】
さて、これまで本発明の実施例について説明したが、上述した実施例以外にも、種々の異なる手法にて実施されてよいものである。そこで、以下では、その他の実施例について説明する。【００５９】
［表示エリア情報記憶部］
例えば、実施例１では、表示エリア情報記憶部２１０が記憶する情報は、予め管理者によって入力される場合について説明したが、本発明はこれに限定されるものではなく、自動的に入力してもよい。例えば、解像度変更装置３００は、テレビ１００からＤＤＣを用いてＥＤＩＤを取得し、取得したＥＤＩＤから型名と表示エリア情報とを取得すると、取得し型名と表示エリア情報とを表示エリア情報記憶部２１０に自動的に入力してもよい。【００６０】
また、例えば、実施例１では、サーバ２００が、表示エリア情報記憶部２１０を備える手法について説明したが、本発明はこれに限定されるものではなく、例えば、解像度変更装置３００が備えてもよい。【００６１】
［表示エリア情報取得タイミング］
また、実施例１では、解像度変更装置３００が、型名を取得するごとに、表示エリア情報を表示エリア情報記憶部２１０から取得する手法について説明したが、本発明はこれに限定されるものではない。例えば、解像度変更装置３００は、記憶部を備え、予めサーバ２００に接続して表示エリア情報記憶部２１０から型名と表示エリア情報との対応付けを読み出し、読み出した型名と表示エリア情報とを記憶部に入力して用いてもよい。【００６２】
［表示エリア情報取得先］
また、例えば、実施例１では、表示エリア情報をサーバ２００から取得する手法について説明し、実施例２では、表示エリア情報をテレビ１００から取得する手法について説明した。しかし、本発明はこれに限定されるものではない。具体的には、サーバ２００から取得する手法と、テレビ１００から取得する手法とを併せて実施してもよい。【００６３】
例えば、図９を用いて、サーバ２００またはテレビ１００から表示エリア情報を取得する解像度変更装置３００による処理の流れの一例を説明する。なお、図９は、サーバまたはテレビから解像度を取得する解像度変更装置による処理の流れの一例を説明するためのフローチャートである。【００６４】
図９に示すように、解像度変更装置３００では、テレビ１００と接続されると（ステップＳ２０１肯定）、取得部３０１が、テレビのＥＤＩＤを読み出す（ステップＳ２０２）。そして、取得部３０１は、読み出したＥＤＩＤに表示エリア情報が含まれるかを判定する（ステップＳ２０３）。ここで、取得部３０１は、表示エリア情報が含まれると判定すると（ステップＳ２０３肯定）、表示エリア情報を取得して実効表示画角を取得する（ステップＳ２０４）。【００６５】
一方、取得部３０１は、表示エリア情報が含まれないと判定すると（ステップＳ２０３否定）、読み出したＥＤＩＤに型名が含まれるかを判定し（ステップＳ２０５）、含まれると判定すると（ステップＳ２０５肯定）、含まれていた型名が表示エリア情報記憶部２１０に記憶されているかを判定する（ステップＳ２０６）。ここで、取得部３０１は、表示エリア情報記憶部２１０に型名が含まれていると判定すると（ステップＳ２０６肯定）、取得した型名に対応づけられた表示エリア情報を取得して実効表示画角を取得する（ステップＳ２０４）。【００６６】
そして、変更部３０２は、取得した実効解像度へと映像の解像度を変更する（ステップＳ２０７）。【００６７】
一方、取得部３０１は、読み出したＥＤＩＤに型名が含まれないと判定し（ステップＳ２０５否定）、または、表示エリア情報記憶部２１０に型名が含まれないと判定すると（ステップＳ２０６否定）、処理を終了する。【００６８】
このように、テレビのＥＤＩＤに表示エリア情報が含まれない場合にのみ、表示エリア情報記憶部２１０から取得することで、処理内容を軽減することができ、処理を迅速にすることが可能である。【００６９】
［システム構成］
また、本実施例において説明した各処理のうち、自動的におこなわれるものとして説明した処理の全部または一部を手動的におこなうこともでき、例えば、利用者は、型名を手動にて解像度変更装置３００に入力してもよい。この他、上記文書中や図面中で示した処理手順、制御手順、具体的名称、各種のデータやパラメータを含む情報については（例えば、図１〜図９）、特記する場合を除いて任意に変更することができる。【００７０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。【００７１】
例えば、図２に示すブロック部を例に説明すると、テレビ１００とサーバ２００と、解像度変更装置３００との内、一部またはすべてを統合してもよく、また、解像度変更装置３００にて行う処理の内一部をサーバ２００にて処理させてもよい。【００７２】
［コンピュータ］
また、上記の実施例で説明した各種の処理は、あらかじめ用意されたプログラムをパーソナルコンピュータやワークステーションなどのコンピュータで実行することによって実現することができる。そこで、以下では、図１０を用いて、上記の実施例と同様の機能を有する解像度変更プログラムを実行するコンピュータの一例を説明する。なお、図１０は、実施例１に係る解像度変更装置のプログラムを説明するための図である。【００７３】
同図に示すように、実施例１におけるコンピュータ３０００は、操作部３００１、マイク３００２、スピーカ３００３、通信部３００６、ＣＰＵ３０１０、ＲＯＭ３０１１、ＨＤＤ３０１２、ＲＡＭ３０１３をバス３００９などで接続して構成されている。【００７４】
ＲＯＭ３０１１には、上記の実施例１で示した取得部３０１と変更部３０２と同様の機能を発揮する制御プログラム、つまり、図１０に示すように、取得プログラム３０１１ａと、変更プログラム３０１１ｂとが予め記憶されている。なお、これらのプログラム３０１１ａ〜３０１１ｂについては、図２に示した解像度変更装置３００の各構成要素と同様、適宜統合または分離してもよい。【００７５】
そして、ＣＰＵ３０１０が、これらのプログラム３０１１ａ〜３０１１ｂをＲＯＭ３０１１から読み出して実行することにより、図１０に示すように、各プログラム３０１１ａ〜３０１１ｂについては、取得プロセス３０１０ａと、変更プロセス３０１０ｂとして機能するようになる。なお、各プロセス３０１０ａ〜３０１０ｂは、図２に示した、取得部３０１と、変更部３０２とにそれぞれ対応する。【００７６】
そして、ＨＤＤ３０１２には、表示エリア情報テーブル３０１２ａが設けられている。なお、表示エリア情報テーブル３０１２ａは、図２に示した、表示エリア情報記憶部２１０に対応する。【００７７】
そして、ＣＰＵ３０１０は、表示エリア情報テーブル３０１２ａを読み出してＲＡＭ３０１３に格納し、ＲＡＭ３０１３に格納された表示エリア情報データ３０１３ａと、映像データ３０１３ｂとを用いて、解像度変更プログラムを実行する。なお、映像データとは、例えば、コンピュータ画面についてのデータが該当する。【００７８】
［その他］
なお、本実施例で説明した解像度変更プログラムは、インターネットなどのネットワークを介して配布することができる。また、解像度変更プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【図１】
2010073363.tif 000003
【図２】
2010073363.tif 000004
【図３】
2010073363.tif 000005
【図４】
2010073363.tif 000006
【図５】
2010073363.tif 000007
【図６】
2010073363.tif 000008
【図７】
2010073363.tif 000009
【図８】
2010073363.tif 000010
【図９】
2010073363.tif 000011
【図１０】
2010073363.tif 000012
【図１１】
2010073363.tif 000013
【国際調査報告】
2010073363.tif 000014
2010073363.tif 000015